(57)【要約】【課題】偽造品の検証や盲人の証券等の券種識別の際に、複雑な判定機器等を必要とせず、用紙自体によるその場での判定ができる方法を提供すること。【解決手段】偽造防止マーク、又はブラインドマークを具備した各種有価証券用紙等のシートの用紙自体を二つ折りにして上側シートと下側シートを重ね合わせて、上側と下側シートを互いに水平方向に摩擦することによって音を発生するシートであって、シートの一部分の上側シート及び下側シートの表面に凹凸を一定の配列で配置され、前記凹凸は、１対の凸部と凹部より形成され、前記１対の凸部と凹部である１ピッチの距離を凸部の上底部の距離と凹部の下底部の距離に分割し、前記下底部の長さが上底部の長さより大きい長さで形成し、前記凸部は、その形状、向き、及び凸部の横と縦と高さの寸法を変えることによって、特殊音を発生するシート。【選択図】図１
2007268712.tif 000002
【特許請求の範囲】
【請求項１】
シートの用紙自体を表面側へ二つ折りにして重ね合わせて、上側シートと下側シート面を重ねて擦り合わせる事により特殊音を発生するシートにおいて、シート一部分の表面に凹凸部を一定の配列で配置し、シートを折り曲げて、該シート自体の面の一部同士を重ねて擦り合わせる事により、単にシートの面同士が擦れ合う時に発する音とは異なる特殊音を発生するシート。
【請求項２】
前記シートの擦れ合う凸部の上下どちらかの凸部もしくは、上下両方の凸部で擦れる方向と交差する方向へ離散した形で凸部を並べ、離散した凸部と凸部の間に隙間を設けることを特徴とする請求項１記載の特殊音を発生するシート。
【請求項３】
前記凹凸を、任意の距離のピッチで、上下側の領域内に、複数個を一定の配列で配置され、形成したことを特徴とする請求項１、又は２記載の特殊音を発生するシート。
【請求項４】
前記凹凸は、１対の凸部と凹部より形成され、前記１対の凸部と凹部である１ピッチの距離を凸部の上底部の距離と凹部の下底部の距離に分割し、前記下底部の長さが上底部の長さより大きい長さで形成したことを特徴とする請求項１乃至３のいずれか１項記載の特殊音を発生するシート。
【請求項５】
前記凹凸は、１ピッチの凸部と凹部より形成され、前記凸部の配置位置を凸部の先端とピッチの先端と重ねたことを特徴とする請求項１乃至４のいずれか１項記載の特殊音を発生するシート。
【請求項６】
前記凹凸のうちの凸部は、その形状、向き、及び凸部の横の幅と高さの寸法を変えることにより、上下に配置された凹凸部を一定速度で互いに擦り合わせても、その時に発生する音の強弱、又は音の高低、音のリズムを変化させられることを特徴とする請求項１乃至５のいずれか１項記載の特殊音を発生するシート。
【請求項７】
前記上下に配置された凹凸部を、所定の領域内に一定の配列で配置し、且つ、どちらか一方の凹部１個分に対して対面側の凸部の１個分が嵌め込めるように配置したことを特徴とする請求項１乃至６のいずれか１項記載の特殊音を発生するシート。
【請求項８】
前記上下に配置された凹凸部を、所定の領域内に一定の配列で配置し、且つ、どちらか一方の凹部１個分に対して対面側の凸部の２個分が嵌め込めるように配置したことを特徴とする請求項１乃至６のいずれか１項記載の特殊音を発生するシート。
【発明の詳細な説明】
【技術分野】
【０００１】
本発明は、特殊音を発生するシートに関する。
【背景技術】
【０００２】
従来、各種有価証券類の偽造防止、盲人識別用ブラインドマーク、種々の提案がされている（特許文献１参照）。
【０００３】
一方、偽造防止マーク、又はブラインドマークを具備した各種有価証券用紙等のシートの用紙等が増加する傾向があり、特にフレキシブルなシートも提案されている。
【０００４】
各種有価証券の真偽判別方法としては、直接手で触れる方法があり、印刷した用紙のシートの硬度、弾力性を手触りで識別したり、印刷面の凹凸や用紙の平滑性を手触りで識別する方法がある。これら指先の感覚による識別方法は、高い効果を発揮してきた。また、用紙のシートの接触音から、用紙のシートの材質を聴覚によって聞き分け、真正物か偽造物であるかを判別する方法もある。しかし、これらの判別方法は、長期に亘って使用された皺、折り目の多い用紙のシートでは、識別が困難であるという問題がある。
【０００５】
その傾向に対し、偽造品の検証や盲人の証券等の券種識別の際に、複雑な判定機器等を必要とせず、用紙自体によるその場での判定ができる方法等の要望が増加している。
【０００６】
以下に公知文献を記す。
【特許文献１】特開平９−１０６４６６号公報
【発明の開示】
【発明が解決しようとする課題】
【０００７】
本発明の課題は、偽造品の検証や盲人の証券等の券種識別の際に、複雑な判定機器等を必要とせず、用紙自体によるその場での判定ができたり、又は遊戯用（絵本など）特殊音を発生するシートを提供することにある。
【課題を解決するための手段】
【０００８】
本発明の請求項１に係る発明は、シートの用紙自体を表面側へ二つ折りにして重ね合わせて、上側シートと下側シート面を重ねて擦り合わせる事により特殊音を発生するシートにおいて、シート一部分の表面に凹凸部を一定の配列で配置し、シートを折り曲げて、該シート自体の面の一部同士を重ねて擦り合わせる事により、単にシートの面同士が擦れ合う時に発する音とは異なる特殊音を発生するシートである。
【０００９】
本発明の請求項２に係る発明は、前記シートの擦れ合う凸部の上下どちらかの凸部もしくは、上下両方の凸部で擦れる方向と交差する方向へ離散した形で凸部を並べ、離散した凸部と凸部の間に隙間を設けることを特徴とする請求項１記載の特殊音を発生するシートである。
【００１０】
本発明の請求項３に係る発明は、前記凹凸を、任意の距離のピッチで、上下側の領域内に、複数個を一定の配列で配置され、形成したことを特徴とする請求項１、又は２記載の特殊音を発生するシートである。
【００１１】
本発明の請求項４に係る発明は、前記凹凸は、１対の凸部と凹部より形成され、前記１
対の凸部と凹部である１ピッチの距離を凸部の上底部の距離と凹部の下底部の距離に分割し、前記下底部の長さが上底部の長さより大きい長さで形成したことを特徴とする請求項１乃至３のいずれか１項記載の特殊音を発生するシートである。
【００１２】
本発明の請求項５に係る発明は、前記凹凸は、１ピッチの凸部と凹部より形成され、前記凸部の配置位置を凸部の先端とピッチの先端と重ねたことを特徴とする請求項１乃至４のいずれか１項記載の特殊音を発生するシートである。
【００１３】
本発明の請求項６に係る発明は、前記凹凸のうちの凸部は、その形状、向き、及び凸部の横の幅と高さの寸法を変えることにより、上下に配置された凹凸部を一定速度で互いに擦り合わせても、その時に発生する音の強弱、又は音の高低、音のリズムを変化させられることを特徴とする請求項１乃至５のいずれか１項記載の特殊音を発生するシートである。
【００１４】
本発明の請求項７に係る発明は、前記上下に配置された凹凸部を、所定の領域内に一定の配列で配置し、且つ、どちらか一方の凹部１個分に対して対面側の凸部の１個分が嵌め込めるように配置したことを特徴とする請求項１乃至６のいずれか１項記載の特殊音を発生するシートである。
【００１５】
本発明の請求項８に係る発明は、前記上下に配置された凹凸部を、所定の領域内に一定の配列で配置し、且つ、どちらか一方の凹部１個分に対して対面側の凸部の２個分が嵌め込めるように配置したことを特徴とする請求項１乃至６のいずれか１項記載の特殊音を発生するシートである。
【００１６】
本発明に係る発明では、偽造防止マーク、又はブラインドマークを具備した各種有価証券用紙等のシート用紙自体を二つ折りにして上下に配置された凹凸部を有するシートを重ね合わせて互いに水平方向に摩擦することによって本来のシート同士が擦れ合う時に発する音とは異なる特殊音を発生する特殊音を発生するシートを提供し、特殊音を発生するシートでは、その一部分の上下に配置された凹凸部を有するシートの表面に一定の配列で凹凸部が配置され、且つ、シート摩擦時の操作性向上と安易な偽造を防止するために、特徴のある、力を逃す目的で擦れる方向と交差する方向へ離散した形で凸部を並べ、離散した凸部と凸部の間に隙間を設けたことを特徴とする特殊音を発生するシートである。
【発明の効果】
【００１７】
本発明の特殊音を発生するシートを用いれば，偽造品の検証や盲人の証券等の券種識別の際に、用紙シート自体を二つ折りにし、前記上下に配置された凹凸部を有するシートを重ね合わせて、上下凹凸部を互いに水平方向に摩擦することによって、発生する特殊音を，音の強弱、又は音の高低、又は音のリズムの違いにより判別することができる。
【発明を実施するための最良の形態】
【００１８】
本発明の特殊音を発生するシートを一実施形態に基づいて以下説明する。
【００１９】
本発明の特殊音を発生するシートでは、偽造品の検証や盲人の証券等の券種識別の際に、用紙シート自体を二つ折りにし、前記上下に配置された凹凸部を有するシートを重ね合わせて、上下凹凸部を互いに水平方向に摩擦することによって、発生する特殊音は、音の強弱、又は音の高低、又は音のリズム等に特徴があり、聴覚で判別することができる音である。
【００２０】
前記特殊音を発生するシートの、音の強弱、音の高低、音のリズムについて説明する。
【００２１】
前記上下に配置された凹凸部を有するシートの表面では、ピッチ毎に凸部が形成された領域である。前記上下に配置された凹凸部を有するシートは、前記配置ピッチの距離及び凸部の幅と長さと高さの寸法を変更し、その凸部間の距離及び凸部の寸法の変化を摩擦音の音の強弱、音の高低、音のリズムの変化として聴覚で判別するための役割である。
【００２２】
前記音の強弱は、上下に配置された凹凸部を有するシートの凸部の高さ（凹部の深さ）に伴って、高い程強い音となり、低いほど弱い音となる。音の高低も、凸部の横寸法（幅）に伴い、太い程高い音となり、細いほど低い音となるが、上下凹凸を重ねた時の凸部と凹部の隙間は狭い方が高い音となり、広い方が低い音となる。例えば同じ凸部の高さと幅を持つが凹凸を重ねた時の凸部と凹部の間隔を狭く作成した場合に比べて、上下凹凸を重ねた時の凸部と凹部の間隔を広くした物とでは、前者の方が高音を得られる。音のリズムは、配置ピッチの距離に比例し、距離が長い程スローテンポとなり、距離が短いほどハイテンポとなる。
【００２３】
図１（ａ）〜（ｄ）は、本発明の特殊音を発生する用紙シートの一実施例を説明図であり、（ａ）は、シートの上面図であり、（ｂ）は、下側シートの側断面図、（ｃ）は、上側シートの側断面図であり、（ｄ）は、二つ折りにし、上側シートと下側シートを重ね合わせた用紙シートの側断面図である。
【００２４】
図１（ａ）に示すように、用紙シート１は、下側端部に下側シート１０と、続いて上側シート２０が形成されている。前記用紙シート１は、印刷、例えば凹版印刷により所定の文字図形が形成され、下側端部に本発明の特殊音を発生する凹凸３０を形成する下側シート１０及び上側シート２０を備えている。前記用紙シート１は、中央の点線部を谷折りし、重ね合わせて互いに水平方向に摩擦し、特殊音を発生する。前記下側シート１０、又は上側シート２０は各々所定の領域を持ち、その位置は、適宜に配置する。
【００２５】
図１（ｂ）は、下側シート１０であり、図に示すように、凹凸３０は、１対の凸部２と凹部９より形成されている。前記１対の凸部と凹部である１ピッチの距離（図上５）は、凸部の上底部の距離（図上Ａ〜Ｂ）と凹部の下底部の距離（図上Ｂ〜Ｅ）に分割し、前記下底部の長さが上底部の長さより大きい長さで形成する。凸部２の配置位置は、１ピッチ目の開始位置（図上Ａ点）に凸部の先端位置を重ね合わせている。そのため、重ね合わせた場合、下側、上側シート１０、２０の各々凸部上底部２、２が接触する状態と、下側シートの凹部の下底部９と、上側シートの凸部２が接触する状態が水平方向に１ピッチの移動するサイクル毎に、少なくとも１回発生するため、この際に発生する特殊音が音のリズムとなり、且つ一定の音を再現できる。
【００２６】
図１（ｃ）は、上側シート２０である。凹凸３０は、下側シートと同じ状態で形成した。
【００２７】
図１（ｄ）に示すように、下側シート１０上に上側シート２０を重ねた場合、下底部の長さ９ａが上底部の長さ２ａより大きい長さで形成したことにより、隙間７が形成される。前記隙間７の大小は、発生する音に影響するため、適宜に最適化することが重要となる。
【００２８】
本発明の特殊音を発生するシートの製造方法を説明する。凸部の形成は、印刷工程でなく、最後の加工工程で形成する。予め、公知の製法により凹版を作製する。次いで、凹版の空押し（プレス）法を用いて凸部状に形成する。
【００２９】
本発明の特殊音を発生するシートに用いる用紙は、紙、若しくはフイルムなどシート状で、二つ折りが出来、且つ形成された凸部をとどめることが出きる材料が望ましい。
【００３０】
用紙は、その表面が平滑性が高いほど、摩擦によるノイズが少なく、発生する特殊音が聞き取りやすいため、平滑性のよい材料が望ましい。
【００３１】
用紙は、その厚が厚いほど、明瞭な音となり、発生する特殊音が聞き取り易いため、厚い材料が望ましい。
【００３２】
本発明の実施例を以下説明する。図２は、実施例１を説明する図面であり、（ａ）は、上面図で、（ｂ）は凸部形状拡大図である。
【実施例１】
【００３３】
図２（ａ）では、左側の下側シート１０の凸部は、長方形で形成し、長さを３５ｍｍ、幅が０．３５ｍｍ、高さが７０μ以上（０．０７ｍｍ）の寸法とした。図右側の上側シート２０の凸部は、シートを摩擦する時の操作性を向上するために摩擦する方向へ力を逃す目的で擦れる方向と交差する方向へ離散した個々の凸部と凸部の間に隙間（スリット）を有する直径０．３５ｍｍ、高さが７０μ以上（０．０７ｍｍ）の円形とし、幅方向に接触するように配列した。凸部と凸部の配置ピッチが１：１，すなわち１ピッチ毎に１個の凸部を配置し、形成した特殊音を発生するシートを作製した。
【００３４】
前記凹凸は、１対の凸部と凹部より形成され、前記１対の凸部と凹部である１ピッチの距離を０．９ｍｍ、凸部の上底部の距離を０．３５ｍｍ、凹部の下底部の距離を０．５５ｍｍに分割し、前記下底部の長さが上底部の長さより大きい長さで形成した。なお、実施例１特殊音を発生するシートでは、音の高低は、やや高い音であり、音のリズムは、ハイテンポであり、音の強弱は、強い音であった。
【実施例２】
【００３５】
図１、２では、前記上下側シートは、所定の横と縦と高さの凸部を同一の寸法としたが、図３（ａ）は下側シートの凸部形状は、幅が０．３５ｍｍ、距離が０．５５ｍｍ、ピッチ０．９ｍｍで形成し、下側シートとは異なる上側シートは、凸部と凸部の配置ピッチが２：１、すなわち２ピッチ毎に１個の凸部を配置し、形成した特殊音を発生するシートを作製した。
【００３６】
前記下側のシートの凹凸は、１対の凸部と凹部より形成され、前記１対の凸部と凹部である１ピッチの距離を０．９ｍｍ、凸部の上底部の距離を０．３５ｍｍ、凹部の下底部の距離を０．５５ｍｍに分割した。前記上側のシートの凹凸は、１対の凸部と凹部より形成され、前記１対の凸部と凹部である１ピッチの距離を１．８ｍｍ以上、凸部の上底部の距離を０．３５ｍｍ、凹部の下底部の距離を１．４５ｍｍ以上に分割し、形成した。なお、実施例２の特殊音を発生するシートは、音の高低は、やや低い音となり、音のリズムは、スローテンポであり、音の強弱は、間隙が広いため弱い音であった。
【００３７】
実施例１及び２の特殊音を発生するシートの摩擦音の識別を行い、聴覚で識別することが出来た。
【図面の簡単な説明】
【００３８】
【図１】本発明の特殊音を発生するシートの部分拡大の側断面図であり、（ｂ）は、下側シートであり、（ｃ）は、上側シートであり、（ｄ）は、重ね合わした上下シートである。
【図２】本発明の実施例１の特殊音を発生するシートの部分拡大図（ｂ）であり、（ａ）は、上面図であり、（ｃ）は重ね合わした上下シートの側断面図である。
【図３】本発明の実施例２の特殊音を発生するシートの部分拡大図であり、（ａ）は、上面図であり、（ｂ）は重ね合わした上下シートの側断面図である。
【符号の説明】
【００３９】
１…用紙シート
２…凸部
３…上底部
４…下底部
５…１ピッチ
７…間隙
９…凹部
１０…下側シート
２０…上側シート
３０…凹凸
【図１】
2007268712.tif 000003
【図２】
2007268712.tif 000004
【図３】
2007268712.tif 000005